【手続補正書】
【提出日】平成29年11月10日(2017.11.10)
【手続補正１】
【補正対象書類名】明細書
【補正対象項目名】００５７
【補正方法】変更
【補正の内容】
【００５７】
本発明を例示的な実施形態を参照しながら具体的に図示・説明したが、当業者であれば、添付の特許請求の範囲に包含される本発明の範囲から逸脱することなく、形態および細部の詳細な変更が可能であることを理解するであろう。
なお、本発明は、実施の態様として以下の内容を含む。
［態様１］
プロセッサに接続されたマイクロディスプレイと、
前記プロセッサに接続されたマイクロホンと、
前記プロセッサにより実行される、前記マイクロホンへのユーザからの発話に応答する発話認識エンジンと、
を備え、
前記発話認識エンジンが、（ｉ）所定の発話コマンドを認識するとアクションの実行を引き起こすように、かつ、（ｉｉ）ユーザが設定可能な発話コマンドをサポートするように構成されている、ヘッドセットコンピュータ。
［態様２］
態様１に記載のヘッドセットコンピュータにおいて、前記発話認識エンジンが、さらに、当該ヘッドセットコンピュータのユーザに前記所定の発話コマンド及び対応付けられたフィールドを提示するように構成されており、この対応付けられたフィールドは、代用の発話コマンドの入力用に提示される、ヘッドセットコンピュータ。
［態様３］
態様２に記載のヘッドセットコンピュータにおいて、前記発話認識エンジンが、前記代用の発話コマンドを認識すると、第１のアクションの実行を引き起こし、この第１のアクションは、前記所定の発話コマンドに対応するものである、ヘッドセットコンピュータ。
［態様４］
態様３に記載のヘッドセットコンピュータにおいて、前記第１のアクションは、前記発話認識エンジンが前記代用の発話コマンドを認識した場合にのみ実行される、ヘッドセットコンピュータ。
［態様５］
態様３に記載のヘッドセットコンピュータにおいて、前記第１のアクションは、前記発話認識エンジンが前記代用の発話コマンドを認識した場合か又は前記発話認識エンジンが前記所定の発話コマンドを認識した場合に実行される、ヘッドセットコンピュータ。
［態様６］
態様２に記載のヘッドセットコンピュータにおいて、前記対応付けられたフィールドに入力された前記代用の発話コマンドは、所定の期間のあいだ有効であり、この期間後は、前記所定の発話コマンドのみが有効である、ヘッドセットコンピュータ。
［態様７］
態様２に記載のヘッドセットコンピュータにおいて、前記対応付けられたフィールドに入力された前記代用の発話コマンドは、この代用のコマンドを投入したユーザにのみ有効である、ヘッドセットコンピュータ。
［態様８］
態様１に記載のヘッドセットコンピュータにおいて、さらに、
前記発話認識エンジンに動作可能に接続された発話コマンド設定モジュール、
を備え、前記発話コマンド設定モジュールは、所与の発話コマンドの代用に用いる発話コマンド用語をエンドユーザが選択することを可能にし、そのユーザが選択した発話コマンド用語が、前記所与の発話コマンドの代用のコマンドを形成する、ヘッドセットコンピュータ。
［態様９］
態様１に記載のヘッドセットコンピュータにおいて、さらに、
発話コマンド設定モジュール、を備え、
前記発話コマンド設定モジュールが、（ｉ）前記所定の発話コマンドに対応する代用の発話コマンドを前記ユーザから受け取るように、かつ、（ｉｉ）前記代用の発話コマンドを、所定の発話コマンドの認識時に実行される前記アクションと関連付けるように、かつ、（ｉｉｉ）前記代用の発話コマンドの認識時に前記アクションを実行するように構成さ
れている、ヘッドセットコンピュータ。
［態様１０］
態様９に記載のヘッドセットコンピュータにおいて、前記発話コマンド設定モジュールが、さらに、前記所定の発話コマンドの認識時に前記アクションを実行するように構成されている、ヘッドセットコンピュータ。
［態様１１］
発話認識方法であって、デジタル処理装置で、
（ｉ）ユーザの発話を認識する過程と、
（ｉｉ）前記発話を所定の発話コマンドとして認識すると、アクションの実行を引き起こす過程と、
（ｉｉｉ）ユーザが設定可能な発話コマンドをサポートする過程と、
を含む、発話認識方法。
［態様１２］
態様１１に記載の発話認識方法において、さらに、
ヘッドセットコンピュータの前記ユーザに前記所定の発話コマンド及び対応付けられたフィールドを提示する過程と、
前記対応付けられたフィールドへと入力された代用の発話コマンドを受け取る過程と、
を含む、発話認識方法。
［態様１３］
態様１２に記載の発話認識方法において、さらに、
前記代用の発話コマンドを認識すると、第１のアクションの実行を引き起こす過程、
を含み、前記第１のアクションは、前記所定の発話コマンドに対応するものである、発話認識方法。
［態様１４］
態様１３に記載の発話認識方法において、さらに、
前記第１のアクションを、前記発話を認識するエンジンが前記代用の発話コマンドを認識した場合にのみ実行する過程、
を含む、発話認識方法。
［態様１５］
態様１３に記載の発話認識方法において、さらに、
前記第１のアクションを、前記発話を認識するエンジンが前記代用の発話コマンドを認識した場合か又は前記発話を認識するエンジンが前記所定の発話コマンドを認識した場合に実行する過程、
を含む、発話認識方法。
［態様１６］
態様１２に記載の発話認識方法において、前記対応付けられたフィールドに入力された前記代用の発話コマンドは、所定の期間のあいだ有効であり、この期間後は、前記所定の発話コマンドのみが有効である、発話認識方法。
［態様１７］
態様１２に記載の発話認識方法において、前記対応付けられたフィールドに入力された前記代用の発話コマンドは、この代用のコマンドを投入したユーザにのみ有効である、発話認識方法。
［態様１８］
コンピュータソフトウェア命令が記憶された、発話を認識するための非過渡的なコンピュータ読取り可能媒体であって、
前記コンピュータソフトウェア命令は、少なくとも１つのプロセッサにより実行されると、コンピュータシステムに、
（ｉ）ユーザの発話を認識する手順と、
（ｉｉ）前記発話を所定の発話コマンドとして認識すると、アクションの実行を引き起こす手順と、
（ｉｉｉ）ユーザ設定可能な発話コマンドをサポートする手順と、
を実行させる、非過渡的なコンピュータ読取り可能媒体。
［態様１９］
態様１８に記載の非過渡的なコンピュータ読取り可能媒体において、前記コンピュータソフトウェア命令は、少なくとも１つのプロセッサにより実行されると、前記コンピュータシステムに、さらに、
ヘッドセットコンピュータの前記ユーザに前記所定の発話コマンド及び対応付けられたフィールドを提示する手順と、
前記対応付けられたフィールドへと入力された代用の発話コマンドを受け取る手順と、
を実行させる、非過渡的なコンピュータ読取り可能媒体。
［態様２０］
態様１８に記載の非過渡的なコンピュータ読取り可能媒体において、前記コンピュータソフトウェア命令は、少なくとも１つのプロセッサにより実行されると、前記コンピュータシステムに、さらに、
前記代用の発話コマンドを認識すると、第１のアクションの実行を引き起こす手順、
を実行させて、前記第１のアクションは、前記所定の発話コマンドに対応するものである、非過渡的なコンピュータ読取り可能媒体。
【手続補正２】
【補正対象書類名】特許請求の範囲
【補正対象項目名】全文
【補正方法】変更
【補正の内容】
【特許請求の範囲】
【請求項１】
マイクロディスプレイ及びマイクロホンを備えるヘッドマウントディスプレイと、
前記マイクロディスプレイ及び前記マイクロホンに遠隔接続されたプロセッサ、ならびに、
前記プロセッサにより実行される、前記マイクロホンへのユーザからの発話に応答する発話認識エンジン、を備えるリモートホストデバイスと、
を備え、
前記発話認識エンジンが、（ｉ）所定の発話コマンドを認識するとアクションの実行を引き起こすように、かつ、（ｉｉ）ユーザが設定可能な発話コマンドをサポートするように、かつ、（ｉｉｉ）当該ヘッドマウントディスプレイのユーザに前記所定の発話コマンド及び対応付けられたフィールドを提示するように構成されており、この対応付けられたフィールドは、代用の発話コマンドの入力用に提示される、コンピュータシステム。
【請求項２】
請求項１に記載のコンピュータシステムにおいて、前記発話認識エンジンが、前記代用の発話コマンドを認識すると、第１のアクションの実行を引き起こし、この第１のアクションは、前記所定の発話コマンドに対応するものである、コンピュータシステム。
【請求項３】
請求項２に記載のコンピュータシステムにおいて、前記第１のアクションは、前記発話認識エンジンが前記代用の発話コマンドを認識した場合にのみ実行される、コンピュータシステム。
【請求項４】
請求項２に記載のコンピュータシステムにおいて、前記第１のアクションは、前記発話認識エンジンが前記代用の発話コマンドを認識した場合か又は前記発話認識エンジンが前記所定の発話コマンドを認識した場合に実行される、コンピュータシステム。
【請求項５】
請求項１に記載のコンピュータシステムにおいて、前記対応付けられたフィールドに入力された前記代用の発話コマンドは、所定の期間のあいだ有効であり、この期間後は、前記所定の発話コマンドのみが有効である、コンピュータシステム。
【請求項６】
請求項１に記載のコンピュータシステムにおいて、前記対応付けられたフィールドに入力された前記代用の発話コマンドは、この代用のコマンドを投入したユーザにのみ有効である、コンピュータシステム。
【請求項７】
請求項１に記載のコンピュータシステムにおいて、さらに、
前記発話認識エンジンに動作可能に接続された発話コマンド設定モジュール、
を備え、前記発話コマンド設定モジュールは、所与の発話コマンドの代用に用いる発話コマンド用語をエンドユーザが選択することを可能にし、そのユーザが選択した発話コマンド用語が、前記所与の発話コマンドの代用のコマンドを形成する、コンピュータシステム。
【請求項８】
請求項１に記載のコンピュータシステムにおいて、さらに、
発話コマンド設定モジュール、を備え、
前記発話コマンド設定モジュールが、（ｉ）前記所定の発話コマンドに対応する代用の発話コマンドを前記ユーザから受け取るように、かつ、（ｉｉ）前記代用の発話コマンドを、所定の発話コマンドの認識時に実行される前記アクションと関連付けるように、かつ、（ｉｉｉ）前記代用の発話コマンドの認識時に前記アクションを実行するように構成されている、コンピュータシステム。
【請求項９】
請求項８に記載のコンピュータシステムにおいて、前記発話コマンド設定モジュールが、さらに、前記所定の発話コマンドの認識時に前記アクションを実行するように構成されている、コンピュータシステム。
【請求項１０】
発話認識方法であって、ヘッドマウントディスプレイデバイスに接続され、かつ前記ヘッドマウントディスプレイデバイスから離れた位置に配置されたデジタル処理装置で、
（ｉ）ユーザの発話を認識する過程と、
（ｉｉ）前記発話を所定の発話コマンドとして認識すると、アクションの実行を引き起こす過程と、
（ｉｉｉ）ユーザが設定可能な発話コマンドをサポートする過程と、
（ｉｖ）ヘッドセットコンピュータの前記ユーザに前記所定の発話コマンド及び対応付けられたフィールドを提示する過程と、前記対応付けられたフィールドへと入力された代用の発話コマンドを受け取る過程と、
を含む、発話認識方法。
【請求項１１】
請求項１０に記載の発話認識方法において、さらに、
前記代用の発話コマンドを認識すると、第１のアクションの実行を引き起こす過程、
を含み、前記第１のアクションは、前記所定の発話コマンドに対応するものである、発話認識方法。
【請求項１２】
請求項１１に記載の発話認識方法において、さらに、
前記第１のアクションを、前記発話を認識するエンジンが前記代用の発話コマンドを認識した場合にのみ実行する過程、
を含む、発話認識方法。
【請求項１３】
請求項１１に記載の発話認識方法において、さらに、
前記第１のアクションを、前記発話を認識するエンジンが前記代用の発話コマンドを認識した場合か又は前記発話を認識するエンジンが前記所定の発話コマンドを認識した場合に実行する過程、
を含む、発話認識方法。
【請求項１４】
請求項１０に記載の発話認識方法において、前記対応付けられたフィールドに入力された前記代用の発話コマンドは、所定の期間のあいだ有効であり、この期間後は、前記所定の発話コマンドのみが有効である、発話認識方法。
【請求項１５】
請求項１０に記載の発話認識方法において、前記対応付けられたフィールドに入力された前記代用の発話コマンドは、この代用のコマンドを投入したユーザにのみ有効である、発話認識方法。
【請求項１６】
コンピュータコード命令が記憶された、非過渡的なコンピュータ読取り可能媒体であって、
前記コンピュータコード命令は、プロセッサにより実行されると、ヘッドマウントディスプレイデバイスおよびリモートホストデバイスを少なくとも有するコンピュータシステムを含む装置に、
（ｉ）ユーザの発話を認識する手順と、
（ｉｉ）前記発話を所定の発話コマンドとして認識すると、アクションの実行を引き起こす手順と、
（ｉｉｉ）ユーザ設定可能な発話コマンドをサポートする手順と、
（ｉｖ）ヘッドマウントディスプレイデバイスの前記ユーザに前記所定の発話コマンド及び対応付けられたフィールドを提示する手順と、前記ヘッドマウントディスプレイデバイスの前記ユーザから前記対応付けられたフィールドへと入力された代用の発話コマンドを受け取る手順と、
を実行させる、非過渡的なコンピュータ読取り可能媒体。
【請求項１７】
請求項１６に記載の非過渡的なコンピュータ読取り可能媒体において、前記コンピュータコード命令は、プロセッサにより実行されると、前記装置に、さらに、
前記代用の発話コマンドを認識すると、第１のアクションの実行を引き起こす手順、
を実行させて、前記第１のアクションは、前記所定の発話コマンドに対応するものである、非過渡的なコンピュータ読取り可能媒体。
【請求項１８】
請求項１７に記載の非過渡的なコンピュータ読取り可能媒体において、前記コンピュータコード命令は、プロセッサにより実行されると、前記装置に、さらに、
発話認識エンジンが前記代用の発話コマンドを認識した場合にのみ、前記第１のアクションを実行する、非過渡的なコンピュータ読取り可能媒体。
【請求項１９】
請求項１７に記載の非過渡的なコンピュータ読取り可能媒体において、前記コンピュータコード命令は、プロセッサにより実行されると、前記装置に、さらに、
前記発話認識エンジンが前記代用の発話コマンドを認識した場合か又は前記発話認識エンジンが前記所定の発話コマンドを認識した場合に、前記第１のアクションを実行する、非過渡的なコンピュータ読取り可能媒体。
【請求項２０】
請求項１６に記載の非過渡的なコンピュータ読取り可能媒体において、前記コンピュータコード命令は、プロセッサにより実行されると、前記装置に、さらに、
前記代用の発話コマンドは、所定の期間のあいだ有効であり、この期間後は、前記所定の発話コマンドのみが有効であると判断させる、非過渡的なコンピュータ読取り可能媒体。